(57)【特許請求の範囲】
【請求項１】
光ディスクが収納されたカートリッジが内部に装着可能なプレイヤ本体と、
前記カートリッジを内部に装着するために前記プレイヤ本体の側面に開口され、カートリッジの幅および厚みに合わせた開口長および開口幅を有する挿入口と、
前記プレイヤ本体の側面に離間して立設された一対の支持部および該一対の支持部間に横架された連結部とから成る外形コ字状の把手とを具備する可搬型カートリッジ式ディスクプレイヤにおいて、
前記一対の支持部は前記挿入口を挟んで挿入口の長さ方向の両側に立設され、
前記一対の支持部には、前記カートリッジの幅方向の両側面と厚み方向の少なくとも一方の側面とに接触してカートリッジを前記挿入口への正常な挿入経路へ誘導する挿入用ガイドが形成されていることを特徴とする可搬型カートリッジ式ディスクプレイヤ。
【請求項２】
前記挿入用ガイドは、
前記挿入口の長さ方向の両口縁から前記カートリッジの挿入方向に沿って形成された幅方向ガイド面と、
該幅方向ガイド面から前記挿入口の幅方向の少なくとも一方の口縁に沿って形成された厚み方向ガイド面とを有することを特徴とする請求項１記載の可搬型カートリッジ式ディスクプレイヤ。
【請求項３】
前記幅方向ガイド面は、互いの間隔が前記挿入経路から離間するに従って広がるテーパ面に形成されていることを特徴とする請求項２記載の可搬型カートリッジ式ディスクプレイヤ。
【請求項４】
前記幅方向ガイド面は、互いの間隔が前記挿入口から離間するに従って広がるテーパ面に形成されていることを特徴とする請求項２記載の可搬型カートリッジ式ディスクプレイヤ。
【発明の詳細な説明】
【０００１】
【発明の属する技術分野】
本発明はＣＤ−ＲＯＭに代表されるランダムアクセス可能な光ディスクに記録された情報の再生や記録を行う可搬型カートリッジ式ディスクプレイヤに関する。
【０００２】
【従来の技術】
従来の可搬型カートリッジ式ディスクプレイヤ１０の概要構成について図９を用いて説明する。
プレイヤ本体１２は、光ディスク１４が収納されたカートリッジ１６を内部に装着可能であると共に、内部には装着された光ディスク１４に記録された情報の再生および／または記録を行うための読み取りおよび／または書き込み機構（不図示）が設けられている。
【０００３】
プレイヤ本体１２を構成する筐体（キャビネット）の側面１２ａには、カートリッジ１６をプレイヤ本体１２内部に装着するための挿入口１８が開口されている。この挿入口１８の開口長ｓや開口幅ｔは、カートリッジ１６の幅Ｗおよび厚みＤに合わせて設定されている。なお、挿入口１８には埃や塵の内部への進入を防止するための開閉自在な蓋体（不図示）が設けられている場合もある。
また、プレイヤ本体１２の別の側面１２ｂにはディスクプレイヤ１０の持ち運びが行いやすいように、把手２０が設けられている。把手２０の構造は、プレイヤ本体１２の側面１２ｂに離間して立設された一対の支持部２２、および一対の支持部２２間に横架されて実際に手で掴む部分である連結部２４とから成り、外形はコ字状に形成されている。
【０００４】
よって、使用者は把手２０を掴んでディスクプレイヤ１０を持ち運び、光ディスクに記録された情報の読み取りや光ディスクへの情報の書き込みを行う場合には、図９（ａ）に示すように操作部（不図示）が形成された上面を上に向けてプレイヤ本体１２を机等に載置する。そして、プレイヤ本体１２の側面１２ａに開口された挿入口１８からカートリッジ１６をプレイヤ本体１２内に装着し、操作部を操作してカートリッジ１６に収納された光ディスクの情報の読み取りや情報の書き込み等を行う。
【０００５】
【発明が解決しようとする課題】
しかしながら、上記の従来の可搬型カートリッジ式ディスクプレイヤには次のような課題がある。
挿入口１８は、プレイヤ本体１２の側面に直接開口する構成であるため、図１０に示すようにカートリッジ１６の挿入側端部を当然に正常な方向（図１０のｒに示す状態）から挿入口１８に挿入することができる一方、挿入口１８に誤った方向（図１０（ｂ）のｑに示す状態）から挿入したり、またカートリッジ１６の角部から挿入する（図１０のｐに示す状態）等の異常な挿入を行える。
従って、視覚障害者等の目の不自由な人が使用したり、また健常者であっても暗い場所で使用する等、正確に挿入口１８の位置を確認しつつカートリッジ１６を挿入できないような場合には上述したような異常は挿入を行う場合があり、カートリッジ１６の挿入位置を何度も修正しながら挿入口１８へ挿入しなければならず、迅速な光ディスクの読み取り・書き込みが行えないという課題がある。
また、異常な挿入を行おうとした場合に、プレイヤ本体１２の挿入口１８付近の部品やカートリッジ１６自体が破損する危険性もある。
【０００６】
従って、本発明は上記課題を解決すべくなされ、その目的とするところは、カートリッジを挿入口に正常な方向から確実に挿入することが可能な可搬型カートリッジ式ディスクプレイヤを提供することにある。
【０００７】
【課題を解決するための手段】
上記課題を解決するため、本発明は次の構成を備える。
すなわち、光ディスクが収納されたカートリッジが内部に装着可能なプレイヤ本体と、前記カートリッジを内部に装着するために前記プレイヤ本体の側面に開口され、カートリッジの幅および厚みに合わせた開口長および開口幅を有する挿入口と、前記プレイヤ本体の側面に離間して立設された一対の支持部および該一対の支持部間に横架された連結部とから成る外形コ字状の把手とを具備する可搬型カートリッジ式ディスクプレイヤにおいて、前記一対の支持部は前記挿入口を挟んで挿入口の長さ方向の両側に立設され、前記一対の支持部には、前記カートリッジの幅方向の両側面と厚み方向の少なくとも一方の側面とに接触してカートリッジを前記挿入口への正常な挿入経路へ誘導する挿入用ガイドが形成されていることを特徴とする。
【０００８】
これによれば、カートリッジを把手に設けた挿入用ガイドを用いて正常な挿入経路へ誘導することができるので、常に正確にカートリッジを挿入口からプレイヤ本体に装着することが可能となる。また、把手と挿入口とを同じ側面に設け、プレイヤ本体の側面に立設された把手に挿入用ガイドを形成しているから、把手と挿入口とがプレイヤ本体の異なる側面に形成されている状態で挿入口に独立して挿入用ガイドを突設する場合に比べて、プレイヤ本体全体の形状が複雑化せず製造コストが低減できると共に、外形寸法も大きくならない。
【０００９】
具体的には、例えば前記挿入用ガイドは、前記挿入口の長さ方向の両口縁から前記カートリッジの挿入方向に沿って形成された幅方向ガイド面と、該幅方向ガイド面から前記挿入口の幅方向の少なくとも一方の口縁に沿って形成された厚み方向ガイド面とを有する。
【００１０】
また、前記幅方向ガイド面は、互いの間隔が前記挿入経路から離間するに従って広がるテーパ面に形成したり、また互いの間隔が前記挿入口から離間するに従って広がるテーパ面に形成することによって、カートリッジの挿入用ガイドへの導入を容易に行えるようになる。
【００１１】
【発明の実施の形態】
以下、本発明に係る可搬型カートリッジ式ディスクプレイヤの好適な実施の形態について添付図面と共に詳述する。
（第１の実施の形態）
まず、図１と共に構成について説明する。なお、従来例と同じ構成については同じ符号を付し、詳細な説明は省略する。
カートリッジ１６が内部に装着可能なプレイヤ本体１２の一の側面１２ａには、カートリッジ１６をプレイヤ本体１２内部に装着するための挿入口１８が開口されている。この挿入口１８の開口長ｓや開口幅ｔは従来例と同様にカートリッジの幅Ｗおよび厚みＤに合わせて設定され、カートリッジ１６が実際に挿入可能な大きさである。本実施の形態では一例として挿入口１８はその長さ方向が水平方向となるように開口されている。
【００１２】
そして、本実施の形態の特徴点は、把手２０が挿入口１８が開口されたプレイヤ本体１２の側面１２ａと同じ側面に配置され、かつ把手２０の一対の支持部２２は挿入口１８を挟んで挿入口１８の長さ方向の両側に立設されている。さらに、一対の支持部２２には、カートリッジ１６の幅方向の両側面１６ａ、１６ａと厚み方向の少なくとも一方の側面１６ｂとに接触してカートリッジ１６を挿入口１８への正常な挿入経路Ａへ誘導する挿入用ガイド２８が形成されている点である。なお本実施の形態では挿入口１８は水平方向に沿って開口されているから、カートリッジ１６の厚み方向の少なくとも一方の側面とは、上面１６ｃ、下面１６ｂの内の少なくとも一方であり、本実施の形態では下面１６ｂが一方の側面となっている。
【００１３】
次に、この挿入用ガイド２８の詳細な構成について説明する。
挿入用ガイド２８は、挿入口１８の長さ方向の両口縁１８ａからカートリッジの挿入方向Ｂに沿って各支持部２２の内壁面２６に形成された一対の幅方向ガイド面３０と、各幅方向ガイド面３０から幅方向ガイド面３０と直交するように挿入口１８の幅方向の少なくとも一方の口縁（本実施の形態では下方の口縁１８ｂ）に沿って形成された一対の厚み方向ガイド面３２とを有する。なお、本実施の形態では連絡部２４の上面２４ａが厚み方向ガイド面３２と同一平面内に位置するように形成されているから、この連絡部２４の上面２４ａも厚み方向のガイドの役割を果たす構成となっているが、必ずしもこの構成である必要はなく、連結部２４は挿入経路Ａと干渉しない位置にあれば良い。
また、一対の幅方向ガイド面３０は互いに平行に形成され、支持部２２の上側の壁面２２ａまで達しており、幅方向ガイド面３０で挟まれる領域にある挿入経路Ａへのカートリッジ１６の上方からの導入が可能となっている。
【００１４】
従って、ディスクプレイヤ３４の使用者は、カートリッジ１６を手で持って、その挿入端部側を幅方向ガイド面３０間に導入すると共に、厚み向ガイド面３２に向けて移動し、カートリッジ１６の下面を厚み方向ガイド面３２に接触させることによって、簡単、かつ確実に正常な挿入経路Ａ上へカートリッジ１６を導くことができる。
その後は、カートリッジ１６は幅方向ガイド面３０によって幅方向のブレが抑制されているため、厚み方向ガイド面３２に沿って滑らせるようにして挿入口１８方向へ移動させることで、カートリッジ１６の挿入側端部を挿入口１８へ正常な方向から正確に挿入し、プレイヤ本体１２内に装着することが可能となる。
【００１５】
（第２の実施の形態）
本実施の形態のディスクプレイヤ３６の特徴点は、一対の幅方向ガイド面３０がテーパ面に形成され、その上部開口幅がカートリッジ１６の幅よりも広くなることによって、カートリッジ１６の幅方向ガイド面３０内への導入が容易に行える構成としている点である。
まず、図２と図３と共に構成について説明する。なお、第１の実施の形態と基本的な構成は同じであり、同じ構成については同じ符号を付して説明は省略し、相違する幅方向ガイド面３０についてのみ説明する。
ディスクプレイヤ３６では、その幅方向ガイド面３０は、互いの間隔Ｃが挿入経路Ａや厚み方向ガイド面３２から図２中の上方向へ離間するに従って広がるテーパ面に形成されている。
【００１６】
従って、挿入経路Ａの上方からカートリッジ１６を一対の幅方向ガイド面３０内へ容易に導入することが可能となり、導入後は厚み方向ガイド面３２方向へカートリッジ１６を移動させて密着させるだけで厚み方向の位置決めと共に幅方向の位置決めも同時になされ、確実に挿入経路Ａ上へカートリッジ１６を導入できる。
【００１７】
〔テーパ面の他の形状〕
また、幅方向ガイド面３０は図４や図５に示すように、互いの間隔Ｃが挿入口１８から離間するに従って広がるテーパ面に形成するようにしても良い。
この場合には、幅方向ガイド面３０は、互いの間隔Ｃが挿入経路Ａや厚み方向ガイド面３２から図４中の上方向（図５中の手前方向）へ離間するに従って広がると共に、挿入口１８から挿入方向Ｂと逆方向へ離間するに従って広がるテーパ面に形成されている。
これにより、上記のテーパ面の構造と同様に、挿入経路Ａの上方からカートリッジ１６を一対の幅方向ガイド面３０内へ容易に導入することが可能となると共に、挿入方向Ｂからの幅方向ガイド面３０間への導入も容易に行えるようになり、図６に示すように、より幅広い方向Ｅからカートリッジ１６を挿入経路Ａへ導入できるようになる。
【００１８】
（第３の実施の形態）
本実施の形態のディスクプレイヤ３８の特徴点は、上述した第１、第２の実施の形態のディスクプレイヤ３４、３６に設けられた厚み方向ガイド面３２はカートリッジ１６の厚み方向の一方の側面（一例として下面）１６ｂにのみ接触してカートリッジ１６を挿入経路Ａ上に保持させる（位置決めさせる）構成であったが、図７に示すように挿入されるカートリッジ１６の厚み方向の他方の側面（図７では一例として上面）１６ｃにも接触する他の厚み方向ガイド面４０を設けた点である。
【００１９】
具体的には、第１、第２の実施の形態のディスクプレイヤ３４、３６の構成に加えて、幅方向ガイド面３０と直交すると共に幅方向ガイド面３０から挿入口１８の幅方向の他方の口縁（本実施の形態では上方の口縁１８ｃ）に沿って形成された厚み方向第２ガイド面４０を設ける。
この厚み方向第２ガイド面４０は、上述した第１、第２の実施の形態のディスクプレイヤ３４、３６に設けられた厚み方向ガイド面（識別するため厚み方向第１ガイド面）３２と対向して挿入口１８の口縁に設けられ、厚み方向第１ガイド面３２と厚み方向第２ガイド面４０との間の間隔ｑは、挿入口１８の開口幅ｔと同じに設定される。
【００２０】
この構成でのカートリッジ１６の装着手順について説明する。
まず、上述した第１、第２の実施の形態のディスクプレイヤ３４、３６で述べたと同様の手順でカートリッジ１６を挿入経路Ａ上へ導入する。
次に、厚み方向第１ガイド面３２上で滑らせるようにしてカートリッジ１６を挿入口１８方向へ移動させる。
ここまでは第１、第２の実施の形態のディスクプレイヤ３４、３６の場合と同じであるが、カートリッジ１６の挿入側の端部は、挿入口１８方向へ移動させていくと、挿入口１８内に挿入される直前にその上面１６ｃが厚み方向第２ガイド面４０と接触し、厚み方向の移動もまた幅方向の移動と同様に厚み方向第１ガイド面３２と厚み方向第２ガイド面４０との間で挟まれて規制されるようになる。従って、カートリッジ１６の挿入側端部が挿入口１８内に挿入を開始される際に、カートリッジ１６に幅方向や厚み方向に外力が加わった場合であってもカートリッジ１６は常に挿入経路Ａ上に保たれて、常に正常な方向から挿入口１８に挿入されるため、挿入口１８やその付近に設けられた機構（蓋体等）がカートリッジ１６の挿入側端部と干渉して壊れるといったことが確実に防止できる。
【００２１】
なお、一対の厚み方向第２ガイド面４０の挿入方向Ｂに沿った長さｕは、厚み方向第１ガイド面３２や幅方向ガイド面３０の挿入方向Ｂに沿った長さｖよりも短くなるように設定する。なぜなら、厚み方向第１ガイド面３２等の挿入方向Ｂに沿った長さｖよりも長くすると、厚み方向第１ガイド面３２のガイド機能や幅方向ガイド面３０のガイド機能が機能しなくなってしまうからである。
【００２２】
〔把手の他の構成〕
また、上述した各実施の形態において、把手２０の連結部２４の構造を図８に示す構造として、カートリッジ１６を押す指が連結部２４に干渉しないようにすると一層便利である。
その連結部２４の構造の特徴は、図８中において連結部２４の中央部分が局部的に下方に湾曲して形成されている。
従って、連結部２４の上面２４ａの支持部２２側の両端部分が第１の実施の形態で説明したように厚み方向ガイド面３２と面一に形成されてカートリッジ１６のガイドを行う構成であっても、カートリッジ１６の下面１６ｂと連結部２４の上面２４ａの中央部分との間には隙間が生じる。このため、通常はカートリッジ１６を装着する際にカートリッジ１６の中央部分を指で押すのであるが、この押す指が連結部２４に干渉せず、カートリッジ１６を確実に挿入口１８からプレイヤ本体１２内に装着することができる。
【００２３】
以上、本発明の好適な実施例について種々述べてきたが、本発明は上述の実施例に限定されるのではなく、発明の精神を逸脱しない範囲で多くの改変を施し得るのはもちろんである。
【００２４】
【発明の効果】
本発明に係る可搬型カートリッジ式ディスクプレイヤを用いると、カートリッジを把手に設けた挿入用ガイドを用いて正常な挿入経路へ誘導することができるので、常に正確にカートリッジを正常な挿入方向から挿入口へ挿入してプレイヤ本体に装着することが可能となる。よって、カートリッジを誤った角度から挿入口へ挿入しようとして挿入口付近に設けられた部品やカートリッジ自体を破損することを有効に防止できる。
また、把手と挿入口とを同じ側面に設け、プレイヤ本体の側面に立設された把手に挿入用ガイドを形成しているから、把手と挿入口とがプレイヤ本体の異なる側面に形成されている状態で挿入口に独立して挿入用ガイドを突設する場合に比べて、プレイヤ本体全体の形状が複雑化せず製造コストが低減できると共に、外形寸法も大きくならないという効果もある。
さらに請求項２や３では、挿入用ガイドを構成するガイド面がテーパ面に形成されているため、カートリッジの挿入経路への導入が行い易くなり、目の不自由な人が操作する場合や、健常者であっても暗い場所で操作する場合のカートリッジの装着性が格段に向上するという効果がある。
【図面の簡単な説明】
【図１】本発明に係る可搬型カートリッジ式ディスクプレイヤの把手に設けられた挿入用ガイドの第１の実施の形態を示す要部斜視図である。
【図２】本発明に係る可搬型カートリッジ式ディスクプレイヤの把手に設けられた挿入用ガイドの第２の実施の形態を示す正面図である。
【図３】図２の平面図である。
【図４】図２の挿入用ガイドを構成するガイド面のテーパ方向を変えた実施の形態の構成を示す正面図である。
【図５】図４の平面図である。
【図６】図４の側面図である。
【図７】本発明に係る可搬型カートリッジ式ディスクプレイヤの把手に設けられた挿入用ガイドの第３の実施の形態を示す要部斜視図である。
【図８】把手の連結部の他の構成を示す要部斜視図である。
【図９】従来の可搬型カートリッジ式ディスクプレイヤの把手と挿入口の配置を示す説明図であり、（ａ）は平面図、（ｂ）は挿入口が設けられた側面から見た側面図、（ｃ）は把手が設けられた側面から見た側面図である。
【図１０】従来の可搬型カートリッジ式ディスクプレイヤの不具合点を説明するための説明図であり、（ａ）は平面図、（ｂ）は把手が設けられた側面から見た側面図である。
【符号の説明】
１２  プレイヤ本体
１２ａ  プレイヤ本体の側面
１６  カートリッジ
１８  挿入口
２０  把手
２２  一対の支持部
２４  連結部
２８  挿入用ガイド
３０  幅方向ガイド面
３２  厚み方向ガイド面
３４  ディスクプレイヤ
【図１】
0004097002.tif 000002
【図２】
0004097002.tif 000003
【図３】
0004097002.tif 000004
【図４】
0004097002.tif 000005
【図５】
0004097002.tif 000006
【図６】
0004097002.tif 000007
【図７】
0004097002.tif 000008
【図８】
0004097002.tif 000009
【図９】
0004097002.tif 000010
【図１０】
0004097002.tif 000011